(57)【特許請求の範囲】
【請求項１】
マトリクス状の複数のＬＥＤユニット（ＬＵ）を有するバックライトアセンブリ（１２０）において、前記複数のＬＥＤユニット各々を囲む隔壁（１３４）を有する反射シート（１３０）を含み、
前記複数のＬＥＤユニットの各々は、少なくとも１つの赤色（Ｒ）ＬＥＤ、少なくとも１つの緑色（Ｇ）ＬＥＤ及び少なくとも１つの青色（Ｂ）ＬＥＤを含み、
前記反射シートがさらに、各ＬＥＤを露出させるように、それぞれに対応する貫通ホール（１３２）を含み、
前記隔壁は、前記反射シートの上面から突出し第１の高さを有するように形成され、そして、
前記反射シートの上面からの各ＬＥＤの第２の高さは、前記第１の高さより低く、
前記隔壁の側面は、前記貫通ホールから離隔していることを特徴とするバックライトアセンブリ。
【請求項２】
請求項１記載のバックライトアセンブリにおいて、前記隔壁の断面形状が、前記反射シート側から先端にかけて厚さが減少するような断面形状であるバックライトアセンブリ。
【請求項３】
請求項２記載のバックライトアセンブリにおいて、前記断面形状が三角形及び台形のうちの１つから選択されるバックライトアセンブリ。
【請求項４】
請求項１記載のバックライトアセンブリにおいて、前記隔壁が格子形状であるバックライトアセンブリ。
【請求項５】
請求項１記載のバックライトアセンブリにおいて、前記隔壁が不透明反射材料を含むバックライトアセンブリ。
【請求項６】
請求項１記載のバックライトアセンブリにおいて、前記ＬＥＤが、少なくとも１つの白色（Ｗ）ＬＥＤであるバックライトアセンブリ。
【請求項７】
請求項１記載のバックライトアセンブリであって、さらに、
少なくとも１つの前記ＬＥＤが実装された少なくとも１つの印刷回路基板（ＰＣＢ）、及び
該ＬＥＤ上に配置された光学シート（１４８）を備えたバックライトアセンブリ。
【請求項８】
請求項７記載のバックライトアセンブリであって、さらに、
前記ＬＥＤと前記光学シートとの間に挿入された透明ウィンドウ（１４０）、及び
該透明ウィンドウの下面に位置し、該ＬＥＤに対向するように対応する少なくとも１つのダイバータ（１４２）を備えたバックライトアセンブリ。
【請求項９】
請求項１記載のバックライトアセンブリにおいて、ＬＥＤユニット内のＬＥＤの配置パターンが、直線状、三角形状、四角形状、又は、４つのＬＥＤの中央に１つのＬＥＤの配置で形成される５点形状、であるバックライトアセンブリ。
【請求項１０】
請求項１記載のバックライトアセンブリにおいて、前記ＬＥＤが分割駆動方式によって発光されるバックライトアセンブリ。
【請求項１１】
請求項１記載のバックライトアセンブリにおいて、前記ＬＥＤが側方照射型ＬＥＤであるバックライトアセンブリ。
【請求項１２】
液晶表示モジュールであって、
マトリクス状の複数のＬＥＤユニット（ＬＵ）を有するバックライトアセンブリ（１２０）において、前記複数のＬＥＤユニット各々を囲む隔壁（１３４）を有する反射シート（１３０）を含み、
前記複数のＬＥＤユニットの各々は、少なくとも１つの赤色（Ｒ）ＬＥＤ、少なくとも１つの緑色（Ｇ）ＬＥＤ及び少なくとも１つの青色（Ｂ）ＬＥＤを含み、
前記反射シートがさらに、各ＬＥＤを露出させるように、それぞれに対応する貫通ホール（１３２）を含み、
前記隔壁は、前記反射シートの上面から突出し第１の高さを有するように形成され、そして、
前記反射シートの上面からの各ＬＥＤの第２の高さは、第１の高さより低いことを特徴とするバックライトアセンブリ、
該バックライトアセンブリの下面に位置するボトムフレーム（１６０）、
該バックライトアセンブリの上面に位置する液晶パネル（１１０）、
該バックライトアセンブリ及び該液晶パネルの縁を囲むメインフレーム（１５０）、及び
該液晶パネルの前面縁を囲むトップフレーム（１７０）
からなり、
前記隔壁の側面は、前記貫通ホールから離隔していることを特徴とする液晶表示モジュール。
【発明の詳細な説明】
【技術分野】
【０００１】
本発明はバックライトアセンブリ及びこれを利用した液晶表示装置モジュールに係り、より具体的には複数のＬＥＤを光源で採用した直下型（ｄｉｒｅｃｔ  ｔｙｐｅ）のバックライトアセンブリ及びここから出射された光を利用して様々な画像を具現することができるように液晶パネルと共に一体化した液晶表示装置モジュールに関する。
【背景技術】
【０００２】
近年の本格的な情報化時代に伴い、電気的信号を介して画像を表示するディスプレイ分野も急速に発展してきた。そして、これに応じて軽量薄型と低消費電力を特徴とする平板表示装置（Ｆｌａｔ  Ｐａｎｅｌ  Ｄｉｓｐｌａｙ  ｄｅｖｉｃｅ：ＦＰＤ）として、液晶表示装置（Ｌｉｑｕｉｄ  Ｃｒｙｓｔａｌ  Ｄｉｓｐｌａｙ  ｄｅｖｉｃｅ：ＬＣＤ）、プラズマ表示装置（Ｐｌａｓｍａ  Ｄｉｓｐｌａｙ  Ｐａｎｅｌ  ｄｅｖｉｃｅ：ＰＤＰ）、電界放出表示装置（Ｆｉｅｌｄ  Ｅｍｉｓｓｉｏｎ  Ｄｉｓｐｌａｙ  ｄｅｖｉｃｅ：ＦＥＤ）、電気発光表示装置（Ｅｌｅｃｔｒｏｌｕｍｉｎｅｓｃｅｎｃｅ  Ｄｉｓｐｌａｙ  ｄｅｖｉｃｅ：ＥＬＤ）等が導入され、既存のブラウン管（Ｃａｔｈｏｄｅ  Ｒａｙ  Ｔｕｂｅ：ＣＲＴ）から急速に代替されてきている。
【０００３】
中でも液晶表示装置は動画像表示に優れ、対照比が大きいという特徴があり、モニター、ＴＶ等の分野で最もよく利用されている。その画像実現原理において、液晶の光学的異方性と分極性質を利用したものであり、液晶は分子構造が細長く配列に方向性を有する光学的異方性と、電界内に置かれる場合にその大きさによって分子の配列方向が変化する分極性質を帯びることが知られている。
【０００４】
これにより一般的な液晶表示装置は並んでいる両基板間に液晶層を介在して合着させた液晶パネルを必須の構成要素としており、液晶パネル内部の電界の大きさによって液晶分子の配列方向を人為的に調節して光の透過率を変化させる。しかし、液晶パネル自体は発光要素を備えていないので、透過率変化を外部に投影させることができる照光手段が別途必要であり、液晶パネル背面に光源が内蔵されたバックライトアセンブリが配置されて光を供給する。
【０００５】
ここで、バックライトアセンブリの光源としては伝統的に外部電極蛍光ランプ（Ｅｘｔｅｒｉｏｒ  Ｅｌｅｃｔｒｏｄｅ  Ｆｌｕｏｒｅｓｃｅｎｔ  Ｌａｍｐ：ＥＥＦＬ）や冷陰極蛍光ランプ（Ｃｏｌｄ  Ｃａｔｈｏｄｅ  Ｆｌｕｏｒｅｓｃｅｎｔ  Ｌａｍｐ：ＣＣＦＬ）等の水銀放電ランプが使われてきたが、最近になって有毒性の水銀（Ａｇ）を使わずに色再現性を向上させることができるＬＥＤがより多く利用されるようになってきている。
【０００６】
一方、一般的にバックライトアセンブリは光を発する光源の位置によって側光型（ｓｉｄｅ  ｌｉｇｈｔ  ｔｙｐｅ）と直下型（ｄｉｒｅｃｔ  ｔｙｐｅ）に区分され、前者の側光型は液晶パネルに対してこれの後方の少なくとも一側面に配置された光源の光を別途の導光板（Ｌｉｇｈｔ  Ｇｕｉｄｅ  Ｐａｎｅｌ：ＬＧＰ）で屈折させ液晶パネルに供給する一方、後者の直下型は液晶パネル背面に複数の光源を配置して直接的な光を供給する。
【０００７】
図１は従来による液晶表示装置モジュールの概略的な分解斜視図である。
【０００８】
液晶（ＬＣＤ）パネル１０とバックライトアセンブリ２０は通常、衝撃からの保護と光漏れの防止のために各種機械的要素により一体化される。一般に、ＬＣＤパネル１０、バックライトユニット２０及び各種機械的要素を合わせて液晶表示装置モジュール（ＬＣＤ）１という。ＬＣＤモジュール１は、上下に重なる液晶パネル１０及びバックライトアセンブリ２０と、これらの縁を囲むメインフレーム（４０）と、バックライトアセンブリー２０の背面を覆ってメインフレーム４０に結合されるボトムフレーム（５０）、そして液晶パネル１０の前面縁を囲んでメインフレーム４０を媒介にしてボトムフレーム５０と組立てられるトップフレーム（６０）を含む。
【０００９】
そしてバックライトアセンブリ２０はボトムフレーム５０内面にストライプ状で配列固定される複数個の印刷回路基板（ＰＣＢ）２２及びこれらそれぞれに列を成して搭載された複数のＬＥＤ２４と、それぞれのＬＥＤ２４が通過することができる複数個の貫通ホール２８を有してＬＥＤ２４を除いた印刷回路基板２２とボトムフレーム５０内面を覆って遮る白色または銀色の反射シート（２６）と、これの上部で複数のＬＥＤ２４と一定間隔を置いて液晶パネル１０との間に介在される複数枚の光学シート３２を含む。
【００１０】
ここで、複数のＬＥＤ２４はＲ（赤）、Ｇ（緑）、Ｂ（青）色光をそれぞれ発するＲＧＢ  ＬＥＤ２４を一定規則によって配列して色混合による白色光を具現することが一般的であり、前記光学シート３２は実質的に拡散シートをはじめとするプリズムシート等を含んで複数枚で構成される。
【００１１】
次に、図２は前記図１の切断線“ＩＩ―ＩＩ”に沿って切断された断面図である。これを図１と比較すると上述した各構成要素を確認することができる。複数のＬＥＤ２４から出射された光は直接または反射シート２６により反射されて光学シート３２を通過した後液晶パネル１０に入射し、これによって液晶パネル１０は外部に画像を表示することができる。
【００１２】
しかし一般的なバックライトアセンブリ２０にはいくつかの短所がある。ＬＥＤ２４の光効率が蛍光ランプの１／３程度水準にとどまっていて全体的な輝度が低いため、同一輝度の表示画面を具現するためにはＬＥＤ２４の個数を増やさなければならないが、これによる材料費の上昇と消費電力増加を伴う短所がある。
【００１３】
具体的な例として、２０インチ以上のＴＶまたはモニター用液晶表示装置を検討すると、同一水準の材料費条件下で蛍光ランプの間の間隔が２０ｍｍないし２５ｍｍ程度である場合に、ＬＥＤ２４間の列間の間隔は６５ｍｍないし１００ｍｍ程度であり、そのような間隔では列間に沿って相対的に輝度が低い暗線（ｄｉｍｍｉｎｇ  ｌｉｎｅ）が出現してしまう。
【００１４】
一般的なバックライトアセンブリ２０ではいわゆる分割駆動が困難であった。分割駆動とは爆破場面のように表示画面一部でだけ相対的に強い高輝度を表示するために該当部分の光源のみを発光させて対照比を高める方法のことをいう。
【００１５】
また、一般的なバックライトアセンブリ２０で最も重要視される事項の一つはＲＧＢ  ＬＥＤ２４それぞれから出射されたＲＧＢカラー光を液晶パネル１０に到達する前に十分に色混合させることである。このために先に言及したようにストライプ形状の印刷回路基板２２上に複数のＬＥＤ２４が一定ピッチで列を作って配列される構造においては、これとは別にＬＥＤ２４の主出射角をなるべく側方に拡大させると共に十分な色混合空間が確保されるようにＬＥＤ２４と光学シート３２間の間隔は必ず一定間隔以上に保障しなければならず、さらにはＬＥＤ２４と光学シート３２間に別途の拡散部材を介在させる等の多様な拡散設計構造が必要となる。
【００１６】
しかし、このような様々な拡散設計構造によって一部のＬＥＤ２４だけを分割駆動により発光させるとしても、列の境界付近では弱い輝度の部分が残ってしまう。
【発明の開示】
【発明が解決しようとする課題】
【００１７】
本発明は前記のような問題点を解決するために案出したものであり、バックライトアセンブリの全体的な輝度上昇と共にＬＥＤ列間で現われる部分的な輝度低下現象を解消し、ＲＧＢカラー光の色混合を十分に保障することはもちろん、分割駆動に好適なバックライトアセンブリ及びこれを利用した液晶表示装置モジュールを提供することにその目的がある。
【課題を解決するための手段】
【００１８】
前記目的を達成するための本発明の第１の側面は、マトリクス状の複数のＬＥＤユニットを有するバックライトアセンブリにおいて、所定の配置パターンで配置された所定の発光色の少なくとも１つのＬＥＤ、及び複数のＬＥＤユニット各々を囲む隔壁を有する反射シートを含み、複数のＬＥＤユニットの各々は、少なくとも１つのＬＥＤを含むバックライトアセンブリである。
【００１９】
上記第１の側面において、隔壁の断面形状を、反射シート側から先端にかけて厚さが減少するような断面形状とした。
ここで、断面形状を三角形及び台形のうちのいずれかとしてもよい。
【００２０】
また、反射シートがさらに、少なくとも１つのＬＥＤを露出させる少なくとも１つの貫通ホールを含み、少なくとも１つの貫通ホールが少なくとも１つのＬＥＤに対応している構成とした。
【００２１】
また、隔壁を格子形状とした。
隔壁が不透明反射材料を含む構成としてもよい。
【００２２】
また、上記の発光色を白色（Ｗ）とした。
また、ＬＥＤユニットの少なくとも１つが、少なくとも１つの赤色（Ｒ）ＬＥＤ、少なくとも１つの緑色（Ｇ）ＬＥＤ及び少なくとも１つの青色（Ｂ）ＬＥＤを含む構成としてもよい。
また、ＬＥＤの少なくとも１つを白色（Ｗ）ＬＥＤとしてもよい。
【００２３】
また、少なくとも１つのＬＥＤが実装された少なくとも１つの印刷回路基板（ＰＣＢ）、及び少なくとも１つのＬＥＤ上に配置された光学シートを備える構成とした。
【００２４】
また、少なくとも１つのＬＥＤと光学シートとの間に挿入された透明ウィンドウ、及び透明ウィンドウの下面に位置し、少なくとも１つのＬＥＤに対向して少なくとも１つのＬＥＤに対応する少なくとも１つのダイバータを備える構成とした。
【００２５】
また、上記の配置パターンを、直線、三角形状、四角形状、又は４点を構成する４つのＬＥＤ及びその４点の中央に位置する１つのＬＥＤで形成される５点形状とした。
【００２６】
また、少なくとも１つのＬＥＤを分割駆動方式によって発光する構成とした。
【００２７】
また、少なくとも１つのＬＥＤを側方照射型ＬＥＤとした。
【００２８】
本発明の第２の側面は、液晶表示モジュールであって、マトリクス状の複数のＬＥＤユニットを有するバックライトアセンブリにおいて、所定の配置パターンで配置された所定の発光色の少なくとも１つのＬＥＤ、及び複数のＬＥＤユニット各々を囲む隔壁を有する反射シートを含み、複数のＬＥＤユニットの各々は、少なくとも１つのＬＥＤを含むバックライトアセンブリ；前記複数個のＬＥＤ及び前記反射シートが位置するボトムフレーム；前記バックライトアセンブリ上部に位置する液晶パネル；前記液晶パネルと前記バックライトアセンブリを囲むメインフレーム；及び液晶パネルの前面縁を囲むトップフレームを含む液晶表示装置モジュールである。
【発明の効果】
【００２９】
以上より、本発明は反射シート上に反射材質で構成された隔壁を形成して全体的な輝度上昇と共に格子構造間で現われる部分的な輝度低下現象を解消し、一般的なバックライトアセンブリの問題点を解消することができる。
【００３０】
また、それぞれの格子構造内に白色光を具現することができるＬＥＤの様々な配置例を提供することによって高品位の豊富な白色光を液晶パネルに供給することができ、また、それぞれの格子構造は独立した別個の発光領域として作用するので分割駆動に有利な効果を示す。
【発明を実施するための最良の形態】
【００３１】
以下図面を参照して本発明をさらに詳細に説明する。
【００３２】
図３は本発明の一実施形態による液晶表示装置モジュールの概略的な分解斜視図である。
【００３３】
図示したように、上下に重なる液晶パネル１１０とバックライトアセンブリ１２０を含む。
【００３４】
そしてこれらの縁をステンレス鋼または合成樹脂モールド物で構成されたメインフレーム１５０が共に囲んで、全体的な形態維持と光損失を最小化するためのボトムフレーム１６０がバックライトアセンブリ１２０背面を覆ってメインフレーム１５０に結合されて、液晶パネル１１０前面縁を囲むトップフレーム１７０がメインフレーム１５０を媒介にしてボトムフレーム１６０と組立てられて一体でモジュール化される。
【００３５】
それぞれを具体的に検討する。
【００３６】
まず液晶パネル１１０は画像表現の中心的な役割を担う部分であって液晶層を挟んで合着された第１及び第２基板１１２、１１４を含む。
【００３７】
ここで、液晶パネル１１０がアクティブマトリックス方式という前提の下に、図面上明確ではないが、下部基板またはアレイ基板と呼ばれる第１基板１１２内面には複数のゲートラインとデータラインが交差して画素（ｐｉｘｅｌ）が画定されて、それぞれの交差点毎に薄膜トランジスタ（ＴＦＴ）が具備されて各画素に実装された透明画素電極と一対一で対応連結される。
【００３８】
そして上部基板またはカラーフィルター基板と呼ばれる第２基板１１４内面には各画素に対応する。一例として、Ｒ（赤色）、Ｇ（緑色）、Ｂ（青色）カラーフィルター及びこれらそれぞれを囲んでゲートラインとデータラインそして薄膜トランジスタ等の非表示要素を遮るブラックマトリックスが具備され、これらカラーフィルター及びブラックマトリックスを覆う透明共通電極が設けられている。
【００３９】
またこのような液晶パネル１１０少なくとも一縁に沿ってはフレキシブル回路基板やＴＣＰ（Ｔａｐｅ  Ｃａｒｒｉｅｒ  Ｐａｃｋａｇｅ：１１６）等を媒介にして液晶パネル駆動回路が接続され、モジュール化過程でメインフレーム１５０の側面ないしボトムフレーム１６０背面に適切に反らして密着され、このような液晶パネル駆動回路はゲートラインで薄膜トランジスタのオン／オフ走査信号をスキャン伝達するゲート駆動回路そしてデータラインにフレーム別画像信号を伝達するデータ駆動回路に区分されて液晶パネル１１０の相互に隣接した二縁に位置することができる。
【００４０】
ここに上述した構造の液晶パネル１１０はスキャン伝達するゲート駆動回路の走査信号により各ゲートライン別に選択された薄膜トランジスタがオン（ｏｎ）されればデータ駆動回路の画像信号がデータラインを介して該画素電極に伝えられて、これによる画素電極と共通電極間の上下電界により液晶分子の配列方向を変化して透過率差を示す。
【００４１】
そしてこのような透過率の差が外部に投影されることができるように液晶パネル１１０背面には本発明によるバックライトアセンブリ１２０が配置されて光を供給する。
【００４２】
バックライトアセンブリ１２０はボトムフレーム１６０内面に装着される少なくとも一つの印刷回路基板１２２及びこれらそれぞれに搭載されて液晶パネル１１０に向ける前方に光を発する複数個のＬＥＤ１２４と、それぞれのＬＥＤ１２４が通過することができる複数個の貫通ホール１３２を含み、ＬＥＤ１２４を除いた印刷回路基板１２２とボトムフレーム１６０内面を覆って遮る白色または銀色の反射シート１３０と、その上部で液晶パネル１１０との間に介在されて複数のＬＥＤランプ１２４と所定間隔で対面される複数枚の光学シート１４８を含む。
【００４３】
ここで、複数のＬＥＤ１２４はＲＧＢ・ＬＥＤ１２４を一定な規則によって配置して色混合による白色光を具現したり、または白色光を発する少なくとも一つのＷ（白色）ＬＥＤ１２４を用いたりすることができる。これに対する詳細な内容は該当部分で詳細に検討する。
【００４４】
そして複数枚の光学シート１４８には拡散シートをはじめとするプリズムシートと共にいわゆるＤＢＥＦ（Ｄｕａｌ  Ｂｒｉｇｈｔｎｅｓｓ  Ｅｎｈａｎｃｅｍｅｎｔ  Ｆｉｌｍ）と呼ばれる反射型偏光フィルム等各種機能性シートを含むことができる。
【００４５】
これによりＬＥＤ１２４から出射された光は直接または反射シート１３０により反射されて光学シート１４８を通過する過程中に均一な面光源に加工され、液晶パネル１１０に入射されて、これを通じて液晶パネル１１０は所望の輝度の画像を外部に表示する。
【００４６】
ここで、本発明によるバックライトアセンブリ１２０は特に反射シート１３０に別途の光学的構造物が具備されたことに特徴を置く。隔壁１３４は反射シート１３０に付着させてもよいし、一部又は全部を嵌め込むようにしてもよい。また、隔壁１３４は反射シート１３０と同一の材質で形成されていてもよい。そして、図３においては、１つのＬＥＤユニット１２２が３つのＬＥＤを三角形状に有している。
【００４７】
反射シート１３０上面から一定高さの線形隔壁１３４が縦横交差することによって一定形状の格子構造１３８を反復提供し、複数個のＬＥＤ１２４は数個単位のＬＥＤユニット（ＬＵ）で構成されて、前記ＬＥＤユニット単位で前記隔壁１３４により分離される。一例として、前記隔壁１３４は示したように格子構造１３８を有して前記ＬＥＤユニット（ＬＵ）を隣接するＬＥＤユニットと分離させることができる。図４は本発明の一実施形態による隔壁を含む反射シートに対する拡大斜視図であり、前述した図３と共に参照すると、ＬＥＤ１２４が露出される反射シート１３０上面からは不透明反射材質で構成された線形リブ形状の隔壁１３４が縦横交差して四角の格子構造を繰り返し画定している。
【００４８】
ここで、前記の隔壁１３４は長さ方向に垂直な断面が数ｍｍ程度、望ましくは２ｍｍないし５ｍｍの高さを示す三角形の山状とすることができ、望ましくは二等辺三角形状とすればよく、両斜辺と反射シート１３０表面間の挟角はそれぞれ１０ないし４５゜程度であればよい。前記隔壁１３４はそれぞれの格子構造１３８内に実装されるＬＥＤユニットを形成する数個のＬＥＤ１２４から出射された光を前面の液晶パネル１１０に向けるように反射することによって該部分の輝度を向上させる役割をもつ。なお、断面形状は台形等であってもよく、隔壁において重要なのは、反射シートから上方（照射方向）に向かって断面が小さくなるような構造である。
【００４９】
図５は本発明のバックライトアセンブリの断面図である。
図３及び４と併せて図５を参照すると、反射シート１３０の隔壁１３４が三角形状であることによって、発光領域においてＬＥＤ１２４からの光がそこに集中される。ここで、ＬＥＤ１２４は側方照射型ＬＥＤであってもよい。従って、バックライトアセンブリ１２０の光効率が従来技術のものよりも高くなる。
【００５０】
したがって目的に応じて任意の格子構造１３８を画定する四方の隔壁１３４はそれぞれ内外側の２重以上になるように相互に並んでいる多重隔壁構造で構成することもできる。
【００５１】
また、前記した隔壁１３４の具体的な形状、例えば長さ方向に垂直な断面形状ないし反射シート１３０表面との間に挟角も目的によって変更することができる。
【００５２】
図６は本発明の一実施形態による液晶表示装置モジュールに対する概略的な分解斜視図であり、先に示した図３の場合と同じ役割をする部分に対しては同じ図面符号を付与して重複した説明を省略する。
【００５３】
これによる差異点として、反射シート１３０上面から露出するＬＥＤ１２４と光学シート１４８間にはそれぞれから一定距離を維持する透明ウィンドウ１４０が介在していて、透明ウィンドウ１４０のＬＥＤ１２４側背面にはダイバータ（１４２；ｄｉｖｅｒｔｅｒ）が付着されていることを特徴とする。なお、隔壁上には点状の光があるので隔壁はダイバータ１４２の下方に位置していなければならない。
【００５４】
ダイバータ１４２の役割はＬＥＤ１２４から出射された直線光を反射及び拡散させることによってさらに均一な面光源を具現すると同時に色混合を促進させることであり、反射シート１３０と同様に白色または銀色のシート物で製造することができる。図面に示したように、ダイバータ１４２は反射シート１３０の各格子構造１３８内にＬＥＤユニット（ＬＵ）を構成して実装される数個のＬＥＤ１２４と一対一に対応する円形のものとしてもよいし、またはそれぞれの格子構造１３８と一対一に対応する所定形状としてもよい。そして透明ウィンドウ１４０は前記のダイバータ１４２がＬＥＤ１２４と一定距離を維持するように支持する役割をもつ。
【００５５】
なお、これ以外の部分は先の図３を参照した内容が同じく適用される。特に、反射シート１３０には複数のＬＥＤ１２４が一対一で挿入される複数の貫通ホール１３２が透孔されてＬＥＤ１２４を除いた印刷回路基板１２２ないしボトムフレーム１６０内面を覆って遮り、反射シート１３０の上面からは一定高さの線形隔壁１３４が縦横交差することによって一定形状の格子構造１３８を反復提供し、複数個のＬＥＤ１２４は数個単位で区分してそれぞれの格子構造１３８内に実装される構造となっている。
【００５６】
そしてこれら隔壁１３４の具体的な内容も前述したものと同様である。
【００５７】
以上の説明で、反射シート１３０上面で縦横交差する隔壁１３４により画定される格子構造１３８内でＬＥＤユニットを構成する数個のＬＥＤ１２４が実装されると述べてきた。これら数個のＬＥＤ１２４は各格子構造１３８毎に白色光を具現することができ、これを満足させる様々な実施形態が可能である。
【００５８】
前記隔壁の１格子構造内一つのＬＥＤユニットの配置例では、ＲＧＢ・ＬＥＤ１２４が少なくとも一つずつ実装されてこれらの色混合による白色光を具現する場合である。この場合、ＲＧＢ・ＬＥＤ１２４は一定な組み合わせ単位を形成することができ、便宜上それぞれのカラーを示す略字だけで表記すると、ＲＧＢ、ＧＲＢＧ、ＲＧＧＢ、ＧＲＢＧＲ等が可能であって、これらＬＥＤは各カラー別ＬＥＤが一回ずつ一列または複列で配列されてもよいし、カラー別ＬＥＤが反復的に一列または複列で配置されてもよい。また、これらそれぞれの場合にＲＧＢ・ＬＥＤ１２４の組み合わせ単位は一直線上の配置や、ＲＧＢ・ＬＥＤ１２４がそれぞれ三角形の頂点を形成する三角配置形態、ＧＲＢＧまたはＲＧＧＢ・ＬＥＤ１２４がそれぞれ四角形の頂点を形成する四角配置形態、ＧＲＢＧＲ・ＬＥＤ１２４がそれぞれ中心の一つとこれを囲む四角形の頂点を形成する５点配置形態等での配置が可能である。なお、色混合やＬＥＤの数量等の観点から好適な例を示したが、これらを満足させる例は多数ある。
【００５９】
またこれとは違って格子構造１３８内に白色光を発する少なくとも一つのＷ・ＬＥＤ１２４を実装してもよく、この配置方法は目的に応じていくらでも自在であることは容易に予想することができる。
【００６０】
また、前述での２種の場合が混合された例として、それぞれの格子構造１３８内に適切な数量のＲＧＢ・ＬＥＤ１２４とＷ・ＬＥＤ１２４が所定形態に配列されることも可能なことはもちろんである。
【００６１】
以下、図７Ａないし図７Ｊは本発明の一実施形態によるＬＥＤユニット別複数個ＬＥＤの配置構造を示した概略的な平面図である。
【００６２】
図７Ａでは、隔壁の１格子構造内ＧＲＢＧ・ＬＥＤ１２４が一列に配置されて一つのＬＥＤユニット（ＬＵ）を形成する場合を提示した。図７Ｂと図７ＣはそれぞれＧＲＢＧ・ＬＥＤ１２４が四角配置構造で一つのＬＥＤユニット（ＬＵ）を形成して１格子構造内角度を相互に異にして配置された例であり、図７ＤはＧＲＢＧＲ・ＬＥＤ１２４が５点配置構造で一つのＬＥＤユニット（ＬＵ）を形成して１格子構造内に配置された例である。また、図７ＥはＧＲＢＧＲ・ＬＥＤ１２４が一列に配置された構造で一つのＬＥＤユニット（ＬＵ）を形成して１格子構造１３８内に配置された例であり、図７ＦはＲＧＢ・ＬＥＤ１２４が三角配置構造を形成した例であり、図７ＧはＧＲＢＧ・ＬＥＤ１２４が二回反復的に一列に配置された例である。そして図７ＨはＧＲＢＧ・ＬＥＤ１２４が四角配置構造を形成して二回反復的に一列に配置された場合である。最終の図７Ｉは図７Ｈと同様であるがＲＧＢＧ・ＬＥＤ１２４が四角配置構造で相互に角度を異にして二回反復的に一列に配置された例である。
【００６３】
また、図７Ｊに示すように、ＬＥＤは白色Ｗ・ＬＥＤを含んでいてもよい。例えば、図７では４つのＷ・ＬＥＤを列状に配置している。
【００６４】
図８は本発明のバックライトアセンブリの平均輝度を従来のものと比較して示す写真である。図８において、左側を第１の写真、右側を第２の写真とする。
【００６５】
第１の写真は従来技術の平均輝度を示している。ここで、その平均輝度は４２３．７ｎｉｔである。一方、第２の写真に示す本発明における平均輝度は４５２．１ｎｉｔであり、従来技術のものよりも高いことが分かる。
【００６６】
このデータによると、第２の写真の平均輝度は第１の写真のものに比べて６．７％高くなっている。従って、本発明のバックライトアセンブリは光効率を大幅に改善できることが分かる。
【図面の簡単な説明】
【００６７】
【図１】従来の液晶表示装置モジュールの概略的な分解斜視図。
【図２】前記図１の切断線“ＩＩ―ＩＩ”に沿って切断された断面図。
【図３】本発明の一実施形態による液晶表示装置モジュールの概略的な分解斜視図。
【図４】本発明の一実施形態による隔壁を含む反射シートに対する拡大斜視図。
【図５】本発明図４の拡大断面図。
【図６】本発明の一実施形態による液晶表示装置モジュールに対する概略的な分解斜視図。
【図７Ａ】本発明の一実施形態によるＬＥＤユニット別複数個ＬＥＤの配置構造を示した概略的な平面図。
【図７Ｂ】本発明の一実施形態によるＬＥＤユニット別複数個ＬＥＤの配置構造を示した概略的な平面図。
【図７Ｃ】本発明の一実施形態によるＬＥＤユニット別複数個ＬＥＤの配置構造を示した概略的な平面図。
【図７Ｄ】本発明の一実施形態によるＬＥＤユニット別複数個ＬＥＤの配置構造を示した概略的な平面図。
【図７Ｅ】本発明の一実施形態によるＬＥＤユニット別複数個ＬＥＤの配置構造を示した概略的な平面図。
【図７Ｆ】本発明の一実施形態によるＬＥＤユニット別複数個ＬＥＤの配置構造を示した概略的な平面図。
【図７Ｇ】本発明の一実施形態によるＬＥＤユニット別複数個ＬＥＤの配置構造を示した概略的な平面図。
【図７Ｈ】本発明の一実施形態によるＬＥＤユニット別複数個ＬＥＤの配置構造を示した概略的な平面図。
【図７Ｉ】本発明の一実施形態によるＬＥＤユニット別複数個ＬＥＤの配置構造を示した概略的な平面図。
【図７Ｊ】本発明の一実施形態によるＬＥＤユニット別複数個ＬＥＤの配置構造を示した概略的な平面図。
【図８】本発明のバックライトアセンブリの平均輝度を従来のものと比較して示す写真。
【符号の説明】
【００６８】
１１０：液晶パネル
１１２、１１４：第１及び第２基板
１１６：ＴＣＰ
１２０：バックライトアセンブリ
１２２：印刷回路基板
１２４：ＬＥＤ
１３０：反射シート
１３２：貫通ホール
１３４：隔壁
１３８：格子構造
１４８：光学シート
１５０：メインフレーム
１６０：ボトムフレーム
１７０：トップフレーム
【図１】
0004516549.tif 000002
【図２】
0004516549.tif 000003
【図３】
0004516549.tif 000004
【図４】
0004516549.tif 000005
【図５】
0004516549.tif 000006
【図６】
0004516549.tif 000007
【図７Ａ】
0004516549.tif 000008
【図７Ｂ】
0004516549.tif 000009
【図７Ｃ】
0004516549.tif 000010
【図７Ｄ】
0004516549.tif 000011
【図７Ｅ】
0004516549.tif 000012
【図７Ｆ】
0004516549.tif 000013
【図７Ｇ】
0004516549.tif 000014
【図７Ｈ】
0004516549.tif 000015
【図７Ｉ】
0004516549.tif 000016
【図７Ｊ】
0004516549.tif 000017
【図８】
0004516549.tif 000018